(57)【要約】【課題】  画像調整の際に任意に画質の基点を設定して、コントラストを向上させる画像表示装置を提供する。【解決手段】  入力した画像信号を輝度信号とカラー信号とに分離し、輝度信号を画像調整部１９で調整し、調整された輝度信号とカラー信号とに基づいて生成された出力信号を出力する画像表示装置１であって、画像調整部１９は、ユーザにより前記画像表示装置１で表示可能な階調値のうち任意の１の階調値が黒レベル調整値として入力されると、輝度信号が前記黒レベル調整値以下であった場合、所定の黒レベル変換式に基づいて輝度信号から新たな輝度信号を算出する黒レベル調整手段１９ｂと、ユーザにより画像表示装置１で表示可能な階調値のうち任意の１の階調値が白レベル調整値として入力されると、輝度信号が白レベル調整値以上であった場合、所定の白レベル変換式に基づいて輝度信号から新たな輝度信号を算出する白レベル調整手段１９ｃとを有する。【選択図】      図１
2006254068.tif 000002
【特許請求の範囲】
【請求項１】
入力したディジタル画像信号を輝度信号とカラー信号とに分離し、前記輝度信号を画像調整部で調整し、前記調整された輝度信号と前記カラー信号とに基づいて生成された出力信号を出力する画像表示装置であって、
前記画像調整部は、
ユーザにより前記画像表示装置で表示可能な階調値のうち任意の１の階調値が黒レベル調整値として入力されると、前記輝度信号が前記黒レベル調整値以下であった場合、所定の黒レベル変換式に基づいて前記輝度信号から新たな輝度信号を算出する黒レベル調整手段と、
ユーザにより前記画像表示装置で表示可能な階調値のうち任意の１の階調値が白レベル調整値として入力されると、前記輝度信号が前記白レベル調整値以上であった場合、所定の白レベル変換式に基づいて前記輝度信号から新たな輝度信号を算出する白レベル調整手段と、
を有することを特徴とする画像表示装置。
【発明の詳細な説明】
【技術分野】
【０００１】
本発明は、画像のコントラストを調整する画像調整部を有する画像表示装置に関する。
【背景技術】
【０００２】
近年、プロジェクタやテレビ等の画像表示装置における高画質化が進んでいる。その一手法として、従来のアナログ伝送方式から、ディジタル伝送方式を利用した画像表示装置が開発されている。
【０００３】
例えば、ディジタル放送方式により入力した画像信号を表示する画像表示装置と接続されるＤＶＤやＤ−ＶＨＳ等のディジタル放送方式を利用する画像送出機器には、ＤＶＩやＨＤＭＩ等の規格のディジタル入力インタフェースが搭載されている。
【０００４】
このようなディジタル入力インタフェースを有する液晶又はＤＬＰ等の固定画素タイプの画像表示装置では、表示画素がドットバイドットで接続され、ＡＤ変換やＤＡ変換を必要としない。そのため、解像度や色再現性が良く、また、擬似信号の発生を抑えることができるため、高画質な画像を提供している。
【０００５】
画像表示装置にディジタル伝送方式で入力される画像信号の輝度レベルは、従来のアナログ送出機器と比較して、個体差がなく正確に伝送される。しかしながら、輝度レベルの最適値は、画像表示装置の性能・特性、コンテンツの仕上がり特性、さらに、ユーザの好みにより異なる。そこで、このような画像表示装置では、画質の調整として、ブライトネスの調整や、コントラストの調整をすることがある。
【０００６】
たとえば、ディジタル処理により画像の調整を行う技術として、輝度信号である階調値が画像表示装置で出力することが可能な階調値の最大値である「２５５」を越えた場合、越えた階調値の全てを強制的に「２５５」にし、また、階調値が最小値である「０」を下回った場合、下回った階調値の全てを強制的に「０」にすることで、輝度を調整する画像調整装置がある（例えば、特許文献１参照）。また、増幅器によって所定レベルに調整された映像信号の振幅がコントラスト調整に応じてバックライトの輝度を制御する液晶表示装置がある（例えば、特許文献２参照）。
【０００７】
また、従来、図９ないし図１１に示すような画像表示装置における画質調整の方法がある。なお、図９ないし図１１では、入力信号である輝度信号を横軸とし、出力信号である輝度信号を縦軸としている。また、図９ないし図１１に示す例では、画像表示装置で表示が可能な輝度信号の最小値である黒レベルの階調値が「０」であり、輝度信号の最大値である白レベルの階調値が「２５５」である。
【０００８】
図９は、黒レベルの調整を説明する図である。黒レベルの調整とは、白のピークレベル（輝度信号の最大値）を保ったまま、画像の輝度信号を調整することであり、すなわちコントラストの調整である。例えば、図９中のａ1のラインを基準として黒レベルの調整をする場合、階調値「０」の輝度信号が入力されたとき、出力される輝度信号の階調値は「５０」となる。また、図９中のａ2のラインを基準とした場合、階調値「１７０」の輝度信号が入力されたとき、出力される輝度信号の階調値は「１４０」となる。
【０００９】
このように黒レベルの調整は、入力信号である輝度信号の階調値について、所定の黒レベル変換式に基づいてコントラストを調整して、出力信号である輝度信号の階調値を算出する。この入力信号である輝度信号を変換する所定の黒レベル変換式は、例えば、図９に表されるラインａ1またはラインａ2の関数である。
【００１０】
入力信号である輝度信号の階調値をＹINとし、出力信号である輝度信号階調値をＹOUTとしたとき、ラインａ1の黒レベル変換式はＹOUT＝α1ＹIN＋β1で表され（β1＝５０）、ラインａ2の黒レベル変換式はＹOUT＝α2ＹIN−β2で表される。なお、α1はラインａ1の傾きであり、α2は、ラインａ2の傾きである。このように、黒レベル変換式は乗算および加算又は減算により構成される。
【００１１】
また、図１０は、白レベルの調整を説明する図である。白レベルの調整とは、黒のピークレベル（輝度信号の最小値）を保ったまま、画像の輝度信号を調整することであり、すなわちコントラストの調整である。例えば、図１０中のｂ1のラインを基準として白レベルの調整をする場合、階調値「２００」の輝度信号が入力信号とされたとき、出力信号の階調値は「２５０」となる。また、図１０中のｂ2のラインを基準とした場合、階調値「１７０」の輝度信号が入力信号とされたとき、出力信号の階調値は「１３０」となる。
【００１２】
このように、白レベルの調整は、入力信号である輝度信号の階調値に所定の白レベル変換式に基づいてコントラストを調整して、出力信号の階調値を算出する。この入力信号を変換する所定の白レベル変換式は、例えば、図１０に表されるラインｂ1またはラインｂ2の関数である。
【００１３】
入力信号である輝度信号の階調値をＹINとし、出力信号である輝度信号の階調値をＹOUTとしたとき、ラインｂ1の白レベル変換式はＹOUT＝α3ＹINで表され、ラインａ2の白レベル変換式はＹOUT＝α4ＹINで表される。なお、α3はラインｂ1の傾きであり、α4は、ラインｂ2の傾きである。このように、白レベル変換式は乗算により構成される。
【００１４】
さらに、図１１は、ブライトネスの調整を示している。ブライトネスの調整とは、画像全体の明るさを調整することである。例えば、図１１中のｃ１のラインを基準とした場合、階調値「０」の輝度信号が入力されたとき、出力される輝度信号の階調値は、「７０」となる。また、図１１中のｃ２のラインを基準とした場合、階調値「２００」の輝度信号が入力されたとき、出力される輝度信号の階調値は「１３０」となる。
【００１５】
このように、ブライトネスの調整は、入力信号である輝度信号の階調値に一定値を加算または減算するブライトネス変換式に基づいてブライトネスを調整して、出力信号である輝度信号の階調値を算出する。この入力信号を変換する所定のブライトネス変換式は、図１１に表されるラインｃ1またはラインｃ2の関数である。
【００１６】
入力信号である輝度信号をＹINとし、出力信号である輝度信号をＹOUTとしたとき、ラインｃ1のブライトネス変換式はＹOUT＝ＹIN＋β5で表され（β5＝７０）、ラインｃ2のブライトネス変換式はＹOUT＝ＹIN−β6で表される（β6＝７０）。すなわち、ブライトネス調整は、加算又は減算により構成される。
【特許文献１】特開平９−１１６８３２号公報
【特許文献２】特開平１０−３０７２８６号公報
【発明の開示】
【発明が解決しようとする課題】
【００１７】
しかしながら、上述した特許文献１に記載の技術によれば、階調値が最大値を越えた場合および最小値を下回った場合、強制的に変更しているため、本来の画像のコントラストが活かされないという問題がある。また、特許文献２に記載のコントラストの調整に応じてバックライトの明るさを調整する液晶表示装置では、画像表示装置のダイナミックレンジが活かされない場合がある。
【００１８】
また、図９および図１１に示す例によれば、黒レベルを調整すると本来輝度信号の変化を望まない白レベルの領域が変化してしまい、また、白レベルを調整すると、変化を望まない黒レベル領域の信号輝度が変化してしまうという矛盾が生じる。具体的には、図１２に示すように、ラインｄに基づいて黒レベルを調整すると、調整の必要ない白レベルについても変化して十分にコントラスト調整がされず、画質が低下するおそれがあるという問題がある。
【００１９】
上記の課題に鑑み、画像調整の際に任意に画質の基点を設定して、輝度レベルの実行ダイナミックレンジに関わらず自由な画質調整機能を持たせた上で、コントラストを向上させる画像表示装置を提供する。
【課題を解決するための手段】
【００２０】
上述した課題を解決するため、本発明によれば、入力した画像信号を輝度信号とカラー信号とに分離し、輝度信号を画像調整部で調整し、調整された輝度信号とカラー信号とに基づいて生成された出力信号を出力する画像表示装置であって、画像調整部は、ユーザにより前記画像表示装置で表示可能な階調値のうち任意の１の階調値が黒レベル調整値として入力されると、輝度信号が前記黒レベル調整値以下であった場合、所定の黒レベル変換式に基づいて輝度信号から新たな輝度信号を算出する黒レベル調整手段と、ユーザにより画像表示装置で表示可能な階調値のうち任意の１の階調値が白レベル調整値として入力されると、輝度信号が白レベル調整値以上であった場合、所定の白レベル変換式に基づいて輝度信号から新たな輝度信号を算出する白レベル調整手段とを有することを特徴としている。
【００２１】
上述構成の本発明によれば、画像調整の際に任意に画質の基点を設定して、輝度レベルの実行ダイナミックレンジに関わらず自由な画質調整機能を持たせた上で、コントラストを向上させることを可能とする。
【発明の効果】
【００２２】
本発明の画像表示装置では、画像調整の際に任意に画質の基点を設定して、コントラストを向上させる画像表示装置を提供することを特徴とする。
【発明を実施するための最良の形態】
【００２３】
（画像表示装置）
以下、本発明の最良の実施の形態に係る画像表示装置について図面を用いて説明する。
【００２４】
本発明の最良の実施の形態に係る画像表示装置１は、入力インタフェース１０、復調部１１、多重分離部１２、画像デコーダ１３、データデコーダ１４、Ｙ／Ｃ分離部１５、入力レベル補正部１６、制御部１７、画像調整信号入力部１８、画像調整部１９及び出力部２０を有している。
【００２５】
入力インタフェース１０は、外部から画像データを含む入力信号を入力する。例えば、ＤＶＤやＤ−ＶＨＳ等のディジタル放送方式の信号を入力する場合、この入力インタフェース１０は、ＤＶＩやＨＤＭＩ等の規格のディジタル入力インタフェースである。
【００２６】
復調部１１は、入力インタフェース１０に入力された入力信号を復調して出力する。
【００２７】
多重分離部１２は、復調部１１で復調された入力信号を入力すると、この入力信号を画像信号及びデータ信号に分離して出力する。
【００２８】
画像デコーダ１３は、多重分離部１２で分離された画像信号が入力されると、この画像信号をデコードして出力する。
【００２９】
データデコーダ１４は、多重分離部１２で分離されたクロック信号等のデータ信号が入力されると、このデータ信号をデコードして出力する。
【００３０】
Ｙ／Ｃ分離部１５は、画像デコーダ１３でデコードされた画像信号が入力されると、この画像信号を輝度信号とカラー信号とに分離して出力する。
【００３１】
入力レベル補正部１６は、Ｙ／Ｃ分離部１５で分離された輝度信号が入力されると、この輝度信号を画像表示装置１に適合した入力レベルに補正する。例えば、８ｂｉｔで構成される画像データのフルビット範囲は階調値「０−２５５」である。画像表示装置１で階調値「０−２５５」の画像が表示可能であって、入力された画像信号が階調値「１６−２３５」のレベルであった場合、入力レベル補正部１６は、画像信号は階調値「０−２５５」のレベルに補正する。
【００３２】
制御部１７は、データデコーダでデコードされたデータ信号に基づいて生成した制御信号を画像調整部１９に入力する。
【００３３】
画像調整信号入力部１８は、ユーザにより入力された画像調整信号を画像調整部１９に入力する。
【００３４】
画像調整部１９は、入力レベル補正部１６で補正された輝度信号とともにＹ／Ｃ分離部１５で分離されたカラー信号が入力されると、制御部１７から入力した制御信号に基づいて、この輝度信号について画質を調整して出力信号を生成して出力する。画像調整部１９は、画像調整処理の実行のため、ブライトネス調整手段１９ａ、黒レベル調整手段１９ｂおよび白レベル調整手段１９ｃを有している。
【００３５】
出力部２０は、画像調整部１９で生成された画像信号を出力する。
【００３６】
（画像調整部）
以下に、画像調整部１９のブライトネス調整手段１９ａ、黒レベル調整手段１９ｂおよび白レベル調整手段１９ｃについて具体的に説明する。
【００３７】
ブライトネス調整手段１９ａは、画像調整信号入力部１８を介して画像調整信号としてブライトネス調整値が入力されると、入力レベル補正部１６から入力された輝度信号について、所定のブライトネス変換式に基づいてブライトネスを調整する。このブライトネス変換については従来と同一の方法により行われ、この所定のブライトネス変換式とは、輝度信号からブライトネス調整値を加算又は減算して求めた新たな輝度信号を調整後の輝度信号とするものである。
【００３８】
黒レベル調整手段１９ｂは、ユーザにより画像表示装置１で表示可能な階調値のうち任意の１の階調値が黒レベル調整値として画像調整信号入力部１８を介して入力されると、入力された輝度信号が黒レベル調整値以下であった場合、所定の黒レベル変換式に基づいて輝度信号から新たな輝度信号を算出して、輝度信号を可変させる。ここで、入力された輝度信号が黒レベル調整値以下でなかった場合、黒レベル調整は必要ないため、入力信号である輝度信号をそのまま出力信号の輝度信号とする。例えば、図２における例では、Ｐ1，Ｐ2またはＰ3等を基点とする階調値が、ユーザにより黒レベル調整値として入力される。
【００３９】
なお、この黒レベル調整値の入力方法には、様々な方法が考えられる。輝度信号である全ての階調（例えば、「０」から「２５５」）から任意の階調をユーザにより指定されるものであっても良い。また、画像表示装置１ごとに予め表示可能な全ての階調について複数段階のレベルが設定されており、そのひとつの階調レベルがユーザに指定されて黒レベル調整値とするものであっても良い。
【００４０】
さらに、画像表示装置１ごとに表示可能な全ての階調から黒レベル調整値の選択用にいくつかの階調値が予め指定されており、そのひとつの階調レベルがユーザに指定されて黒レベル調整値とするものであっても良い。なお、画像表示装置１は、黒レベル調整値が指定された後も、出力された画質の状態を確認しながらユーザにより可変させることができるように構成されていても良い。
【００４１】
ここで、所定の黒レベル変換式とは、例えば、図２を例にすると、ラインａ3ないしラインａ8の傾きに基づいて定められ、これらのラインａ3〜ａ8の関数である。入力輝度信号をＹINとし、出力輝度信号をＹOUTとしたとき、ラインａ3の黒レベル変換式はＹOUT＝α13ＹIN＋β13であり、ラインａ8の黒レベル変換式はＹOUT＝α18ＹIN−β18である。なお、α13はラインａ3の傾きであり、α18は、ラインａ8の傾きである。すなわち、黒レベル変換式は乗算および加算又は減算により構成される。この黒レベル変換式も、例えば傾きを可変することによりユーザにより調整することが可能である。
【００４２】
また、黒レベル調整を行う場合、黒レベル変換式における傾きが１／２以上であって、算出された出力輝度信号が階調値の最小値以下になる場合、算出された出力輝度信号は階調値の最小値に設定される。図２に示す例では、算出された出力輝度信号が階調値の最小値である０以下である場合、これらの階調値は全て階調値の最小値である０に設定される。
【００４３】
このように、本発明の最良の実施の形態に係る画像表示装置１の黒レベル調整手段１９ｂにおける黒レベル調整が従来の黒レベル調整と相異する点は、入力輝度信号をユーザにより入力された基点となる黒レベル調整値と比較する点である。本発明の最良の実施の形態に係る画像表示装置１では比較した結果、入力輝度信号が小さい場合、黒レベル変換式に基づいて輝度信号を調整して出力輝度信号とし、入力輝度信号が大きい場合、入力輝度信号の階調値を出力輝度信号とする。
【００４４】
白レベル調整手段１９ｃは、ユーザにより画像表示装置１で表示可能な階調値のうち任意の１の階調値が白レベル調整値として画像調整信号入力部１８を介して入力されると、輝度信号が白レベル調整値以上であった場合、所定の白レベル変換式に基づいて輝度信号からあらたな輝度信号を算出して、輝度信号を可変させる。ここで、入力された輝度信号が白レベル調整値以上でなかった場合、白レベル調整は必要ないため、入力信号である輝度信号をそのまま出力信号の輝度信号とする。例えば、図３における例では、Ｐ4，Ｐ5またはＰ6等を基点とする階調値が、ユーザにより白レベル調整値として入力される。
【００４５】
なお、この白レベル調整値は、上述した黒レベル調整値と同様に、様々な方法が考えられる。輝度信号である全ての階調（例えば、「０」から「２５５」）から任意の階調をユーザにより指定されるものであっても良い。また、画像表示装置１ごとに予め表示可能な全ての階調について複数段階のレベルが設定されており、そのひとつの階調レベルがユーザに指定されて白レベル調整値とするものであっても良い。
【００４６】
さらに、画像表示装置１ごとに表示可能な全ての階調から白レベル調整値の選択用に予めいくつかの階調値が指定されており、そのひとつの階調レベルがユーザに指定されて黒レベル調整値とするものであっても良い。なお、画像表示装置１は、白レベル調整値が指定された後も、出力された画質の状態を確認しながらユーザにより可変させることができるように構成されていても良い。
【００４７】
ここで、所定の白レベル変換式とは、例えば、図３を例にすると、ラインｂ3ないしラインｂ8の傾きに基づいて定められ、これらのラインｂ3〜ｂ8の関数である。入力輝度信号をＹINとし、出力輝度信号をＹOUTとしたとき、ラインｂ3の黒レベル変換式はＹOUT＝α23ＹINであり、ラインｂ8の黒レベル変換式はＹOUT＝α28ＹINである。なお、α23はラインｂ3の傾きであり、α28は、ラインｂ8の傾きである。すなわち、白レベル変換式は乗算により構成される。この白レベル変換式も、例えば傾きを可変することによりユーザにより調整することが可能である。
【００４８】
また、白レベル調整を行う場合、白レベル変換式における傾きが１／２以上であって、算出された出力輝度信号が階調値の最大値以上となる場合、算出された出力輝度信号は階調値の最大値に設定される。図３に示す例では、算出された出力輝度信号が階調値の最大値２５５以上である場合、これらの階調値は全て階調値の最大値である２５５に設定される。
【００４９】
このように、本発明の最良の実施の形態に係る画像表示装置１の白レベル調整手段１９ｃにおける白レベル調整が従来の白レベル調整と異なる点は、入力輝度信号をユーザにより入力された基点となる白レベル調整値と比較する点である。本発明の最良の実施の形態に係る画像表示装置１では比較した結果、入力輝度信号が大きい場合、白レベル変換式に基づいて輝度信号を調整して出力輝度信号とし、入力輝度信号が小さい場合、入力輝度信号の階調値を出力輝度信号とする。
【００５０】
（画像表示処理）
以下に、画像表示装置１における画像表示処理の流れを簡単に説明する。
【００５１】
画像表示装置１では、入力インタフェース１０を介して入力された入力信号が復調部１１で復調される。続いて、この復調された入力信号が、多重分離部１２で画像信号及びデータ信号に分離される。多重分離部１２で分離された画像信号は、画像デコーダ１３に入力されてデコードされる。また、多重分離部１２で分離されたデータ信号は、データデコーダ１４に入力されてデコードされる。
【００５２】
画像デコーダ１３でデコードされた画像信号は、Ｙ／Ｃ分離部１５で輝度信号とカラー信号に分離される。分離された輝度信号は入力レベル補正部１６に入力されると、画像表示装置１の表示に適合した入力レベルに補正される。
【００５３】
入力レベル補正部１６で補正された輝度信号は、Ｙ／Ｃ分離部１５で分離されたカラー信号と共に画像調整部１９に入力される。また、画像調整部１９には、データデコーダ１４でデコードされたデータ信号に基づいて制御部１７で生成された制御信号が入力される。さらに、画像調整部１９には、画像調整信号入力部１８を介してユーザの操作に基づく画像調整信号が入力される。
【００５４】
画像調整部１９では、制御部１７からの制御信号および画像調整信号入力部１８からの画像調整信号に基づいて、ブライトネス調整手段１９ａにおいて、ブライトネス調整処理がされる。また、制御部１７からの制御信号および画像調整信号入力部１８からの画像調整信号に基づいて、黒レベル調整手段１９ｂにおいて、黒レベル調整がされる。さらに、制御部１７からの制御信号および画像調整信号入力部１８からの画像調整信号に基づいて、白レベル調整手段１９ｃにおいて、白レベル調整がされる。
【００５５】
各調整の後に画像調整部１９により生成された出力信号は、出力部２０により、出力される。
【００５６】
以下、図４および図５に示すフローチャートを用いて画像調整部１９における黒レベル調整処理及び白レベル調整処理について具体的に説明する。
【００５７】
（黒レベル調整処理）
図４に、黒レベル調整処理を説明するフローチャートを示す。画像調整部１９の黒レベル調整手段１９ｂでは、黒レベル調整処理が開始されると、入力レベル補正部１６から入力された輝度信号である階調値Ｙと、画像調整信号入力部１８を介してユーザにより入力された輝度調整信号の黒レベル調整値Ｎ1とを比較する（Ｓ０１）。この黒レベル調整値Ｎ1は、上述したように、黒レベル調整を行うための基点となる値である。
【００５８】
ステップＳ０１で比較した際にＹ＜Ｎ1であった場合（Ｓ０２でＹＥＳ）、輝度信号である階調値Ｙは、黒レベル調整が必要な輝度信号である。そのため、入力された輝度信号について、上述した黒レベル変換式に基づいて出力輝度信号が算出される（Ｓ０３）。
【００５９】
一方、ステップＳ０１で比較した際にＹ＜Ｎ1でなかった場合（Ｓ０２でＮＯ）、輝度信号である階調値Ｙは、黒レベル調整が不要な輝度信号である。そのため、ステップＳ０４に進む。
【００６０】
ステップＳ０４では、他に比較の対象となる輝度信号が存在するか否かを判定し、他に比較の対象となる輝度信号が存在しなくなるまでステップＳ０１に戻り同様の処理を繰り返し（Ｓ０４でＮＯ）、他に比較の対象となる輝度信号が存在しなくなると、処理を終了する（Ｓ０４でＹＥＳ）。
【００６１】
例えば、黒レベル調整値Ｎ1として図６に示すＰ7のように「１２８」が設定されたとき、輝度信号として階調値Ｙ「１２８」以下の値が入力された場合、黒レベル変換式に基づいて階調値が調整される。
【００６２】
（白レベル調整処理）
図５に、白レベル調整処理を説明するフローチャートを示す。画像調整部１９の白レベル調整手段１９ｃでは、白レベル調整処理が開始されると、入力レベル補正部１６から入力された輝度信号である階調値Ｙと、画像調整信号入力部１８を介してユーザにより入力された輝度調整信号の白レベル調整値Ｎ2とを比較する（Ｓ１１）。この白レベル調整値Ｎ2は、上述したように、白レベル調整を行うための基点となる値である。
【００６３】
ステップＳ１１で比較した際にＹ＞Ｎ2であった場合（Ｓ１２でＹＥＳ）、輝度信号である階調値Ｙは、白レベル調整が必要な輝度信号である。そのため、入力された輝度信号により白レベル変換式に基づいて出力輝度信号が算出される（Ｓ１３）。
【００６４】
一方、ステップＳ１１で比較した際にＹ＞Ｎ2でなかった場合（Ｓ１２でＮＯ）、輝度信号である階調値Ｙは、白レベル調整が不要な輝度信号である。そのため、ステップＳ１４に進む。
【００６５】
ステップＳ１４では、他に比較の対象となる輝度信号が存在するか否かを判定し、他に比較の対象となる輝度信号が存在しなくなるまでステップＳ１１に戻り同様の処理を繰り返し（Ｓ０４でＮＯ）、他に比較の対象となる輝度信号が存在しなくなると、処理を終了する（Ｓ０４でＹＥＳ）。
【００６６】
例えば、白レベル調整値Ｎ2として図７に示すＰ8のように「１２８」が設定されたとき、輝度信号として階調値Ｙ「１２８」以上の値が入力された場合、白レベル変換式に基づいて階調値が調整される。
【００６７】
また、図８に示すように黒レベル調整値Ｎ1としてＰ9のように「４５」が設定され、さらに白レベル調整値Ｎ2としてＰ10のように「２００」が設定されたとき、輝度信号として階調値Ｙ「４５」以下の値が入力された場合、黒レベル変換処理に基づいて黒レベル変換処理がされ、階調値Ｙ「２００」以上の値が入力された場合、白レベル変換処理に基づいて白レベル変換処理がされる。
【００６８】
上述したように、本発明の最良の実施の形態に係る画像表示装置では、ディジタルの特性を利用して、基点を任意に選択し、この基点を屈曲点として輝度調整をすることが可能である。そのため、任意に選択された基点から上の輝度信号の調整を可能とする為、基点から下の輝度信号には影響を与えないで輝度を調整することが出来る。また、任意に選択された基点から下の輝度信号の調整を可能とする為、基点から上の輝度信号には影響を与えないで輝度を調整をすることが出来る。したがって、本発明の最良の実施の形態に係る画像表示装置によれば、輝度信号の調整により、輝度レベルの実行ダイナミックレンジに関わらず自由な画質調整機能を持たせた上で、画像のコントラストを向上させることが可能となる。
【００６９】
なお、上述する本発明の最良の実施の形態に係る画像表示装置において、黒レベル変換式および白レベル変換式は、直線のラインで説明したが、必ずしも直線に限られず、曲線にすることも可能である。
【００７０】
また、上述する本発明の最良の実施の形態に係る画像表示装置では、カラー信号の調整については記載していないが、輝度信号とカラー信号とから出力信号を生成する際、調整したカラー信号を利用すれば、さらに高画質の画像を提供することが出来る。
【００７１】
上記のように、本発明の実施の形態によって記載したが、この開示の一部をなす論述及び図面はこの発明を限定するものであると理解すべきではない。この開示から当業者には様々な代替実施の形態、実施例及び運用技術が明らかとなる。
【００７２】
本発明は、ここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００７３】
【図１】本発明の最良の実施の形態に係る画像表示装置を示すブロック図である。
【図２】本発明の最良の実施の形態に係る画像表示装置における黒レベル変換処理を説明する図である。
【図３】本発明の最良の実施の形態に係る画像表示装置における白レベル変換処理を説明する図である。
【図４】本発明の最良の実施の形態に係る画像表示装置における黒レベル変換処理を説明するフローチャートである。
【図５】本発明の最良の実施の形態に係る画像表示装置における白レベル変換処理を説明するフローチャートである。
【図６】本発明の最良の実施の形態に係る画像表示装置における黒レベル変換処理を説明する図である。
【図７】本発明の最良の実施の形態に係る画像表示装置における白レベル変換処理を説明する図である。
【図８】本発明の最良の実施の形態に係る画像表示装置における画像調整処理を説明する図である。
【図９】従来の黒レベル変換処理を説明する図である。
【図１０】従来の白レベル変換処理を説明する図である。
【図１１】従来のブライトネス変換処理を説明する図である。
【図１２】従来の画像調整処理を説明する図である。
【符号の説明】
【００７４】
１…画像表示装置
１０…入力インタフェース
１１…復調部
１２…多重分離部
１３…画像デコーダ
１４…データデコーダ
１５…Ｙ／Ｃ分離部
１６…入力レベル補正部
１７…制御部
１８…画像調整信号入力部
１９…画像調整部
１９ａ…ブライトネス調整手段
１９ｂ…黒レベル調整手段
１９ｃ…白レベル調整手段
２０…出力部
【図１】
2006254068.tif 000003
【図２】
2006254068.tif 000004
【図３】
2006254068.tif 000005
【図４】
2006254068.tif 000006
【図５】
2006254068.tif 000007
【図６】
2006254068.tif 000008
【図７】
2006254068.tif 000009
【図８】
2006254068.tif 000010
【図９】
2006254068.tif 000011
【図１０】
2006254068.tif 000012
【図１１】
2006254068.tif 000013
【図１２】
2006254068.tif 000014